(57)【要約】【課題】  薄型の手洗器の取付において、施工者の技量に左右されずに、簡易な作業で確実に固定することが可能な手洗器の固定構造を提供する  【解決手段】  本発明では、手洗器と、前記手洗器が取付けられるカウンタと、前記カウンタ下方から前記手洗器に取り付けられる固定ねじと、前記固定ねじを介して、前記手洗器を前記カウンタへ固定する固定ナットを備えた手洗い器のカウンタへの取付け構造において、前記手洗い器は、固定ねじ挿入穴を形成する固定ねじ挿入部を備え、前記固定ねじは、前記固定ねじ挿入部に挿入される第一のねじ部と、前記固定ナットと螺合する第二のねじ部を備え、前記第一のねじ部の全長は前記固定ねじ挿入部の全長より短く、前記第一のねじ部を超えて前記固定ねじ挿入部に挿入されることを防止するねじ込み防止機構が設けられていることを特徴とする手洗器の固定構造が提供される。【選択図】  図１
2011015750.tif 000002
【特許請求の範囲】
【請求項１】
手洗器と、
前記手洗器が載置されるカウンタと、
前記カウンタ下方から前記手洗器に取り付けられる固定ねじと、
前記固定ねじを介して、前記手洗器を前記カウンタへ固定する固定ナットを備えた手洗い器のカウンタへの取付け構造において、
前記手洗い器には、前記固定ネジを取り付けるための固定ねじ挿入部が形成され、
前記固定ねじは、前記固定ねじ挿入部に取り付けられる第一のねじ部と、
前記固定ナットと螺合する第二のねじ部とからなり、
前記第一のねじ部を超えて前記固定ねじ挿入部に挿入されることを防止するねじ込み防止機構が設けられたことを特徴とする手洗器の固定構造
【請求項２】
前記ねじ込み防止機構として、前記第一のねじ部と前記第二のねじ部の間にねじの谷径より太い区間が設けられていることを特徴とする請求項１に記載の手洗器固定構造。
【請求項３】
前記ねじ込み防止機構として、前記第一のねじ部と前記第二のねじ部の間にねじの山径より太い区間が設けられていることを特徴とする請求項２に記載の手洗器固定構造。
【請求項４】
前記第二のねじ部の先端に、ネジ穴加工が施されていることを特徴とする請求項１〜３の何れか１項に記載の手洗器の固定構造。
【請求項５】
前記第一のねじ部と、前記第二のねじ部の全長が等しいことを特徴とする請求項２に記載の手洗器固定構造。
【請求項６】
前記固定ナットが蝶ナットであることを特徴とする請求項１〜５の何れか１項に記載の手洗器の固定構造
【発明の詳細な説明】
【技術分野】
【０００１】
本発明は、手洗器の固定構造に係り、特にトイレルームなど狭い空間に設置される手洗器の固定構造に関する発明である。 
【背景技術】
【０００２】
近年、トイレルームのデザイン性や使い勝手を向上させるために、トイレルーム内に設けられたカウンタ上に皿形をなす手洗器又は洗面器（以下、これを単に「手洗器」とする）を載置して固定する形態がとられるようになっている。
【０００３】
そして、このような手洗器のデザイン性や使い勝手をより向上させるために、手洗い器の形状に関してぼってりした印象を与える鉢形の形状からすっきりした印象を与えるより深さの浅い皿形の形状が好まれて使用されるようになっている。
【０００４】
従来、カウンタ上の手洗器の固定方法としては、手洗器自身をトイレルーム内の壁面に固定する方法が知られている。（例えば、特許文献１など）この固定方法では、手洗器はカウンタと壁面の双方に支えられることによって強固に取り付けることが可能となっている。
しかしながら、前述のような皿型の形状の手洗器の場合、壁面と接触しないか、接触したとしても接触面積がごく狭いものとなっており、壁面への固定は事実上不可能であった。
【０００５】
上記の問題を解決するために、手洗器下面より固定ねじを挿入し、この固定ねじを介して手洗器をカウンタ上に固定する方法が提案されている（例えば、特許文献２参照。）。
しかしながら、手洗器を固定する場合に、挿入する固定ねじが必要以上に手洗器にねじ込まれて手洗器と接触し、そのままねじ込もうと力をかけることによって固定ねじが傾き、手洗器に対して固定ねじが傾いた状態で取り付いてしまう。また、固定ねじと手洗器が接触することを恐れるあまり、固定ねじが手洗器にねじ込まれる量がたりず、手洗器の固定が不完全になる。そのため、手洗器に固定ねじを必要な量だけ、確実にねじ込むためには、施工者の勘と経験頼らざるを得ないという課題があった。
【先行技術文献】
【特許文献】
【０００６】
【特許文献１】特開２００２−４７９号公報
【特許文献２】特開２００９−０８２２７２号公報
【発明の概要】
【発明が解決しようとする課題】
【０００７】
本発明は、上記問題を解決するためになされたもので、本発明の課題は、薄型の手洗器の取付において、施工者の技量に左右されずに、簡易な作業で確実に固定することが可能な手洗器の固定構造を提供することが出来る。
【課題を解決するための手段】
【０００８】
上記目的を達成するために請求項１記載の発明によれば、手洗器と、前記手洗器が載置されるカウンタと、前記カウンタ下方から前記手洗器に取り付けられる固定ねじと、前記固定ねじを介して、前記手洗器を前記カウンタへ固定する固定ナットを備えた手洗い器のカウンタへの取付け構造において、前記手洗い器には、前記固定ネジを取り付けるための固定ねじ挿入部が形成され、前記固定ねじは、前記固定ねじ挿入部に取り付けられる第一のねじ部と、前記固定ナットと螺合する第二のねじ部とからなり、前記第一のねじ部を超えて前記固定ねじ挿入部に挿入されることを防止するねじ込み防止機構が設けられた固定構造手洗器の固定構造が提供される。
これによれば、ねじ込み防止機構によって固定ねじは毎回一定量だけ手洗器に挿入されることとなり、施工者の熟練度や技量によらず安定して手洗器を固定することを可能とした。
【０００９】
また、請求項２記載の発明によれば、前記ねじ込み防止機構として、前記第一のねじ部と前記第二のねじ部の間にねじの谷径より太い区間が設けられている手洗器の固定構造が提供される。
これによれば、特別な部材を設けることなく、陶器へのねじ込み量を規制することが可能となる。
【００１０】
また、請求項３記載の発明によれば、前記ねじ込み防止機構として、前記第一のねじ部と前記第二のねじ部の間にねじの山径より太い区間が設けられている手洗器の固定構造が提供される。
これによれば、陶器と膨出部が当接することによって、それ以上の陶器へのねじ込みが規制されることが、施工者にとってわかりやすく、必要以上の力をかけてしまうことが防げる。
【００１１】
また、請求項４記載の発明によれば、前記第二のねじ部の先端に、ネジ穴加工が施されている手洗器の固定構造が提供される。
これによれば、手洗器への固定ねじの挿入が容易となり、ねじ込みにドライバーなどの器具を使用することが可能になると同時に、固定ねじの方向性を視覚的に確認することが可能となり、施工性が向上する。
【００１２】
また、請求項５記載の発明によれば、前記第一のねじ部と、前記第二のねじ部の全長が等しい手洗器の固定構造が提供される。
これによれば、固定ねじに方向性がなくなり、施工者はどちらの方向を手洗器に挿入してもよく、施工性が向上する。
【００１３】
また、請求項６記載の発明によれば、前記固定ナットが蝶ナットである手洗器の固定構造が提供される。
これによれば、特別な工具を使用せずとも、簡単にナットを締め上げることが可能となり、施工性が向上する。
【発明の効果】
【００１４】
本発明によれば、施工者の熟練度や技量に左右されず、簡易な作業で確実に、手洗器をカウンタに固定することが出来るという効果がある。
【図面の簡単な説明】
【００１５】
【図１】本発明第一の実施例における手洗器の取り付け構造を示す断面図である。
【図２】本発明における固定ねじ４の斜視図である。
【図３】本発明における固定ねじ４の端部を示した斜視図である。
【図４】本発明における手洗器１とカウンタ２の固定の様子について示した斜視図である。
【図５】本発明の第二の実施例における手洗器の取り付け構造を示す断面である。
【発明を実施するための形態】
【００１６】
以下、本発明の一実施形態に係る手洗器のカウンタへの取付け構造について図面に基づいて説明する。
図１は本実施形態に係る皿形の手洗器１がカウンタ２に固定された状態を部分的に示す断面図である。図２は手洗器１をカウンタ２に固定するための固定ねじ４の斜視図である。図３固定ねじ４端部の一例である。図４は手洗器１とカウンタ２の固定方法について表した図である。
【００１７】
なお、以下の説明においては、手洗器１のカウンタ２への取付け構造として説明するが、手洗器１の代りにこれより大きさの大きい洗面器などをカウンタ２に取付ける場合にも本発明は適用可能である。
【００１８】
図１に示すように、本実施形態における皿形の手洗器１は、トイレルーム内カウンタ２上に固定されるようになっている。そして、本実施形態における手洗器１のカウンタ２への取付け構造は、手洗器１と、手洗器１が取付けられるカウンタ２と、手洗器１カウンタ２に取付ける固定金具３と、手洗器１をカウンタ２に固定する固定ねじ４および座金５および蝶ナット６とを備えている。
【００１９】
なお、固定金具３は固定ねじ４が挿入されるねじ挿入部９を備えており、固定金具３を手洗器１に取付、固定金具３に固定ねじ４を挿入することによって、手洗器１に固定ねじ４を取り付けることが可能となっている。
本実施例においては固定金具３によって固定ねじ４を手洗器１に取り付けたが、固定ねじ４を取り付けるためのねじ挿入部９を手洗器１に設ける方法は、手洗器１に直接ねじ穴を設けたり、手洗器１にナットのような部材を埋め込むなど、固定金具３によるものに限定されない。
【００２０】
手洗器１のカウンタ２への施工の様子を図４に示す。
まず、事前に固定金具３を取り付けた手洗器１に全ての固定ねじ４固定金具３に締結させる。こうすることで、固定ねじ４が取り付いた状態の手洗器１をカウンタ２の取付け穴に挿入しながら載置でき、カウンタ２の下方からしゃがみこんで、あるいは手探りの状態で手洗器１へ向かって固定ねじを取り付ける必要がなくなる。
また、座金５及び蝶ナット６の取付においても、取付け穴より突出している固定ねじ４に対してねじ込むことができるため、施工者の熟練度や技量によらず、簡便に作業を行うことが可能となっている。
【００２１】
固定用ねじ４は図２に示すとおり、円柱形状をしており、少なくとも両端部にねじ切り加工が施されている。
固定金具３と固定する側のねじ切り加工の長さは、製造時のバラツキを考慮し、最小寸法よりも短い寸法とすることで、ねじ施工者の熟練度や技量によらず、固定ねじ４を必要以上に手洗器１にねじ込んでしまい斜め方向に傾くことが防止でき、安定した固定を提供できる。
【００２２】
図２ａでは固定ねじ４が手洗器１に必要以上にねじ込まれないように、ねじ込み防止機構として固定ねじ４の中ほどにねじをきっていない平坦部７を設けているが、図２ｂおよび図２ｃのように手洗器１と固定ねじ４が必要以上にねじ込まれないように膨出部８を有した構造でも良い。なお、図２ｂにおける膨出部８ａはワッシャーを、図２ｃにおける膨出部８ｂはナットをそれぞれ寸切り固定ねじに溶接したものである。固定ねじ４の形状は手洗器１へのねじ込みを制限できる限り、図２ａ〜ｃに示すように特に限定されない。
【００２３】
固定ねじ４両端のねじ切り部４ａ、４ｂの長さは、カウンタカウンタ手洗器１のねじ挿入部９や、カウンタ２の寸法によって異なるが、取合い上問題なければ同じ長さにすることで、上下の方向性がなくなり、より施工性は向上する。
【００２４】
また、固定ねじ４のカウンタ２固定側の端部に図３ａ、図３ｂのようにすり割り加工または十字穴加工などのねじ穴加工を施すことで、固定金具との固定をマイナスドライバーまたはプラスドライバーを使って、締結することができる。
また、固定ねじ４において、ねじ穴加工を施された方向がカウンタ側となっており、施工者は端部を確認することで固定ねじ４の方向性を判断しやすくなり、施工性はさらに向上する。
なお、その他のねじ穴加工として、六角レンチのための六角穴加工などが考えられる。
【００２５】
図５に本発明の第二の実施例の断面図を示す。
樹脂など、加工しやすい材料を使用する場合、手洗器１に直接ねじ挿入部９を設けることが可能である。この場合においても、施工者は膨出部８ｂが手洗器に当接するまで固定ねじ４をねじ込むだけで、毎回一定量のねじ込みが可能である。
【００２６】
以上、本発明は上記の実施例に限られるものではなく、発明から逸脱しない範囲において、自由に設計することが出来るものである。
【符号の説明】
【００２７】
１…手洗器
２…カウンタ
３…固定金具
４…固定ねじ
４ａ、４ｂ…ねじ切り部
５…ワッシャー
６…蝶ナット
７…平坦部
８ｂ、８ｃ…膨出部
９…ねじ挿入部
【図１】
2011015750.tif 000003
【図２】
2011015750.tif 000004
【図３】
2011015750.tif 000005
【図４】
2011015750.tif 000006
【図５】
2011015750.tif 000007